(57)【要約】【課題】冷媒回路の保護のために給湯システムが停止するのを防いで貯湯効率を高めることのできる給湯システム、給湯システムの起動制御方法を提供することを目的とする。【解決手段】給湯システムは、制御部において、給湯システムを起動したときの水ポンプの回転数Ｂと、前回運転を停止したとき又は起動を行ったときに、前回運転中の水ポンプの回転数Ａとを比較し、水ポンプの回転数Ｂが一定以上（しきい値α）以上低下しているときに、流量調整弁の開度を増加させるようにした。これにより、水回路につまり等が生じているときにも、循環する水の流量が減少するのを抑える。【選択図】図２
2012184884.tif 000002
【特許請求の範囲】
【請求項１】
冷媒と外気との間で熱交換を行う第一の熱交換器と、
前記冷媒を圧縮する圧縮機と、
前記圧縮機で圧縮された前記冷媒と加熱対象の水との間で熱交換を行うことで前記水を加熱する第二の熱交換器と、
前記第二の熱交換器で加熱された前記水を蓄える貯湯タンクと、
前記第二の熱交換器と前記貯湯タンクとの間で前記水を循環させるための水ポンプと、
前記水の流量を調整する流量調整弁と、
少なくとも前記流量調整弁の開度を調整する制御部と、を備えた給湯システムであって、
前記制御部は、前回運転を停止したとき又は起動を行ったときに、前回運転中の前記水ポンプの回転数と、予め定められた設定回転数との差が、予め定めたしきい値を上回ったときには、前記流量調整弁の開度を増加させて前記給湯システムを起動させることを特徴とする給湯システム。
【請求項２】
前記水ポンプの前記設定回転数は、起動時における前記第二の熱交換器の出口側の出湯温度と入口側の入水温度との差に基づき、複数段階に設定されていることを特徴とする請求項１に記載の給湯システム。
【請求項３】
前記制御部は、前記第二の熱交換器の入口側の入水温度と予め定められた出湯設定温度との差に基づき、前記流量調整弁の設定開度を設定し、
前回運転を停止したとき又は起動を行ったときに、前回運転中の前記水ポンプの回転数と、予め定められた設定回転数との差が、予め定めたしきい値を上回ったときには、前記流量調整弁の前記設定開度を増加させて前記給湯システムを起動させることを特徴とする請求項１に記載の給湯システム。
【請求項４】
前記水ポンプの前記設定回転数は固定されていることを特徴とする請求項３に記載の給湯システム。
【請求項５】
冷媒と外気との間で熱交換を行う第一の熱交換器と、
前記冷媒を圧縮する圧縮機と、
前記圧縮機で圧縮された前記冷媒と加熱対象の水との間で熱交換を行うことで前記水を加熱する第二の熱交換器と、
前記第二の熱交換器で加熱された前記水を蓄える貯湯タンクと、
前記第二の熱交換器と前記貯湯タンクとの間で前記水を循環させるための水ポンプと、
前記水の流量を調整する流量調整弁と、
少なくとも前記流量調整弁の開度を調整する制御部と、を備えた給湯システムの起動制御方法であって、
前記制御部は、予め当該制御部のメモリに記憶された、前回運転を停止したとき又は起動を行ったときに、前回運転中の前記水ポンプの回転数を読み出すとともに、前記水ポンプの回転数と前記水ポンプの設定回転数とを比較するステップと、
前記水ポンプの回転数と前記水ポンプの設定回転数との差が、予め定めたしきい値を上回ったときには、前記流量調整弁の開度を増加させて前記給湯システムを起動させるステップと、
を備えることを特徴とする給湯システムの起動制御方法。
【発明の詳細な説明】
【技術分野】
【０００１】
本発明は、給湯システム、給湯システムの起動制御方法に関する。
【背景技術】
【０００２】
通常、ヒートポンプ装置を用いた給湯システムは、ヒートポンプ装置のガスクーラで熱媒体と熱交換することにより水を加熱し、これを貯湯タンクに貯えている。図１に示すように、ヒートポンプ装置１は、エバポレータ２、圧縮機３、ガスクーラ４、膨張弁５を備えた冷凍サイクル回路により構成されている。また、貯湯ユニット６は、貯湯タンク７と、流量調整弁８と、水ポンプ９と、を備えて構成されている。
【０００３】
そして、圧縮機３により圧縮された高温高圧の冷媒は、ガスクーラ４に導かれる。当該冷媒は、ガスクーラ４において貯湯ユニット６側の水との間で熱交換、つまり水に向かって放熱する。
すると高温高圧の冷媒は、ガスクーラ４の内部で冷却され、低温高圧の冷媒となる。
その一方で、水は、ガスクーラ４において冷媒の熱を吸収し、加熱された湯として貯湯タンク７に供給される。
ガスクーラ４から流出した冷媒は、膨張弁５を経てエバポレータ２に導かれ、エバポレータ２において外気との間で熱交換、つまり、外気の熱を吸収する。そのため、低温低圧の冷媒は、エバポレータ２の内部で蒸発し、気相の冷媒となる。
エバポレータ２を流出した冷媒は、圧縮機３に吸入される。吸入された冷媒は、圧縮機３により圧縮された後、再びガスクーラ４に向けて吐出され、上述の過程が繰り返される。
【０００４】
ここで、ガスクーラ４からの出湯温度が予め定めた設定温度となるように、貯湯ユニット６側では、その運転を制御している。具体的には、ガスクーラ４からの出湯温度が予め定めた設定温度となるように、流量調整弁８は開度を固定とした状態のまま、水ポンプ９の回転数を変化させることで水流量を制御し、出湯温度を調整している。
【０００５】
ところで、貯湯ユニット６において、水を循環させる水回路に、配管内のスケール付着等により、詰まり等が生じることがある。すると、水の圧力損失が増加してしまい、通常時に対して水ポンプ９の流量が減少する。給湯システムにおいては、水ポンプ９の流量を一定に保とうとする制御が行われているため、圧縮機３においては、水ポンプ９の流量が減少した場合に、冷媒圧力を高めている。
【０００６】
しかし、これでは、吐出冷媒圧力が高くなりすぎることがある。その場合、吐出冷媒圧力が設定値を超えた場合に圧縮機３を停止させることで冷媒回路を保護する処理（以下、これを保護処理と称することがある。）が行われていた。そして、保護処理後の給湯システムの起動時においては、水ポンプ９の流量を増加させることで、高圧状態での立ち上がりを防止することが行われている（例えば、特許文献１参照。）。
【先行技術文献】
【特許文献】
【０００７】
【特許文献１】特許第４４１２２０８号公報
【発明の概要】
【発明が解決しようとする課題】
【０００８】
しかしながら、上記特許文献１に記載の手法によれば、吐出冷媒圧力が高くなりすぎて圧縮機３を停止させて冷媒回路を保護する処理を行っている間は、当然のことながら貯湯を行うことができず、その効率が悪くなるという問題がある。
本発明は、このような技術的課題に基づいてなされたもので、冷媒回路の保護のために給湯システムが停止するのを防いで貯湯効率を高めることのできる給湯システム、給湯システムの起動制御方法を提供することを目的とする。
【課題を解決するための手段】
【０００９】
かかる目的のもとになされた本発明は、冷媒と外気との間で熱交換を行う第一の熱交換器と、冷媒を圧縮する圧縮機と、圧縮機で圧縮された冷媒と加熱対象の水との間で熱交換を行うことで水を加熱する第二の熱交換器と、第二の熱交換器で加熱された水を蓄える貯湯タンクと、第二の熱交換器と貯湯タンクとの間で水を循環させるための水ポンプと、水の流量を調整する流量調整弁と、少なくとも流量調整弁の開度を調整する制御部と、を備えた給湯システムであって、制御部は、前回運転を停止したとき又は起動を行ったときに、前回運転中の水ポンプの回転数と、予め定められた設定回転数との差が、予め定めたしきい値を上回ったときには、流量調整弁の開度を増加させて給湯システムを起動させることを特徴とする。
【００１０】
このように、前回運転を停止したとき又は起動を行ったときに、前回運転中の水ポンプの回転数と、予め定められた設定回転数との差が、予め定めたしきい値を上回ったとき、すなわち水回路につまり等が生じて水ポンプの回転数が上昇しているときには、起動時に流量調整弁の開度を増加させることで、循環する水の流量が減少するのを抑えることができる。その結果、冷媒圧力を高める必要がなく、したがって、冷媒圧力が高くなりすぎたときに圧縮機を停止させる保護処理に移行するのを回避することができる。
【００１１】
ここで、前記の水ポンプの設定回転数は、起動時における第二の熱交換器の出口側の出湯温度と入口側の入水温度との差に基づき、複数段階に設定することができる。
【００１２】
また、制御部は、第二の熱交換器の入口側の入水温度と予め定められた出湯設定温度との差に基づき、流量調整弁の設定開度を設定することができる。そして、前回運転を停止したとき又は起動を行ったときに、前回運転中の水ポンプの回転数と、予め定められた設定回転数との差が、予め定めたしきい値を上回ったときには、流量調整弁の前記の設定開度を増加させて給湯システムを起動させる。
このとき、起動時における第二の熱交換器の出口側の出湯温度と入口側の入水温度に関わらず、水ポンプの設定回転数を固定することができる。
【００１３】
本発明は、冷媒と外気との間で熱交換を行う第一の熱交換器と、冷媒を圧縮する圧縮機と、圧縮機で圧縮された冷媒と加熱対象の水との間で熱交換を行うことで水を加熱する第二の熱交換器と、第二の熱交換器で加熱された水を蓄える貯湯タンクと、第二の熱交換器と貯湯タンクとの間で水を循環させるための水ポンプと、水の流量を調整する流量調整弁と、少なくとも流量調整弁の開度を調整する制御部と、を備えた給湯システムの起動制御方法であって、制御部は、予め当該制御部のメモリに記憶された、前回運転を停止したとき又は起動を行ったときに、前回運転中の水ポンプの回転数を読み出すとともに、水ポンプの回転数と水ポンプの設定回転数とを比較するステップと、水ポンプの回転数と水ポンプの設定回転数との差が、予め定めたしきい値を上回ったときには、流量調整弁の開度を増加させて給湯システムを起動させるステップと、を備えることを特徴とする給湯システムとすることもできる。
【発明の効果】
【００１４】
本発明によれば、給湯システムの起動時に、前回運転を停止したとき又は起動を行ったときに、前回運転中の水ポンプの回転数と、予め定められた設定回転数との差が、予め定めたしきい値を上回ったとき、すなわち水回路につまり等が生じて水ポンプの回転数が上昇しているときには、起動時に流量調整弁の開度を増加させるようにした。これにより、循環する水の流量が減少するのを抑えることができる。その結果、冷媒圧力を高める必要がなく、冷媒圧力が高くなりすぎたときに圧縮機を停止させる保護処理に移行するのを回避することができる。これにより、貯湯運転が停止するのを防ぎ、貯湯効率を高め、貯湯タンク内の湯温が低下するのを抑えることができる。
【図面の簡単な説明】
【００１５】
【図１】従来および本実施の形態における給湯システムの構成を示す図である。
【図２】第一の実施形態における給湯システムの起動制御方法の流れを示す図である。
【図３】しきい値αと流量調整弁の開度の増加分βとの関係の例を示す図である。
【図４】第二の実施形態における給湯システムの起動制御方法の流れを示す図である。
【発明を実施するための形態】
【００１６】
以下、添付図面に示す実施の形態に基づいてこの発明を詳細に説明する。
［第一の実施形態］
図１は、本実施の形態における給湯システム１０の構成を説明するための図である。
図１に示すように、給湯システム１０は、ヒートポンプユニット（ヒートポンプ装置）１２と、貯湯ユニット１３とから構成されている。
ヒートポンプユニット１２は、例えばＣＯ２等の冷媒が循環する冷媒回路を構成するものであり、室外の空気である外気と、冷媒との間で熱交換を行うものである。
ヒートポンプユニット１２には、少なくとも、圧縮機２１と、エバポレータ（第一の熱交換器）２２と、ガスクーラ（第二の熱交換器）２４と、膨張弁２５と、が設けられている。
【００１７】
圧縮機２１は、一体に構成された電動モータにより回転駆動されることにより、低圧の冷媒を吸入して圧縮し、高圧の冷媒を吐出するものである。この圧縮機２１は、スクロール型圧縮機や、ロータリ式圧縮機など公知の形式の圧縮機を用いることができ、特に限定するものではない。
【００１８】
エバポレータ２２は、外気と冷媒との間で熱交換を行うものである。エバポレータ２２としては、公知の熱交換器を用いることができ、特に限定するものではない。
【００１９】
ガスクーラ２４は、貯湯ユニット１３側の水と冷媒とで熱交換することによって水を加熱する。
【００２０】
膨張弁２５は、高圧の冷媒を断熱膨張させることにより減圧して、低圧の冷媒とするものである。
【００２１】
なお、上記のヒートポンプユニット１２は、基本的な構成を示したのみであり、上記した以外に、適宜の構成を備えることができる。例えば、圧縮機２１の前段に、冷媒の液相と気相とを分離するアキュムレータを備えることができる。また、圧縮機２１を高圧側と低圧側の２段階構成とし、ガスクーラ２４を経た冷媒を飽和液状態の冷媒と飽和ガス状態の冷媒とに分離する中間圧レシーバを備え、中間圧レシーバで分離された飽和液状態の冷媒をエバポレータ２２に供給し、飽和ガス状態の冷媒を、圧縮機２１の高圧側と低圧側の間にインジェクションする構成を付加することもできる。
【００２２】
貯湯ユニット１３は、断熱材で覆われた貯湯タンク３０を備える。
ヒートポンプユニット１２には、この貯湯タンク３０内の水をガスクーラ２４に送り込む水ポンプ３１と、流量調整弁３２と、ガスクーラ２４の入口側の水温（入水温度）を検出する入水温度検出センサ３３、ガスクーラ２４の出口側の出湯温度を検出する出湯温度検出センサ３４が設けられている。
そして、水ポンプ３１および流量調整弁３２の動作は、制御部４０により制御される。
【００２３】
このような貯湯ユニット１３は、貯湯タンク３０から水ポンプ３１によって送り込まれた加熱対象としての水が、ガスクーラ２４においてヒートポンプユニット１２側の冷媒と熱交換することで加熱される。
【００２４】
このような給湯システム１０においては、圧縮機２１により圧縮された高温高圧の冷媒は、ガスクーラ２４に導かれる。当該冷媒は、ガスクーラ２４において貯湯ユニット１３側の水との間で熱交換、つまり水に向かって放熱する。
すると高温高圧の冷媒は、ガスクーラ２４の内部で冷却され、低温高圧の冷媒となる。
その一方で、水は、ガスクーラ２４において冷媒の熱を吸収し、加熱された湯として貯湯タンク３０に供給される。
【００２５】
ガスクーラ２４から流出した冷媒は、膨張弁２５を経て低温低圧の冷媒となり、エバポレータ２２に導かれる。エバポレータ２２においては、外気との間で熱交換、つまり、外気の熱を吸収する。そのため、低温低圧の液相の冷媒は、エバポレータ２２の内部で蒸発し、気相の冷媒となる。
エバポレータ２２を流出した冷媒は圧縮機２１に吸入される。吸入された冷媒は、圧縮機２１により圧縮された後、再びガスクーラ２４に向けて吐出され、上述の過程が繰り返される。
【００２６】
上記したような給湯システム１０においては、制御部４０により、各部の動作が制御されている。
制御部４０では、運転中、入水温度検出センサ３３、出湯温度検出センサ３４の検出データに基づき、出湯温度が予め定めた設定温度Ｔとなるように、貯湯ユニット１３側の水ポンプ３１の回転数、流量調整弁３２の開度を自動調整している。ここで、以下に示すものは、予め定められたプログラムに基づいて制御部４０が実行するものである。
ここで、制御部４０は、給湯システム１０の運転中、適宜のタイミングで、その時点での設定温度Ｔ、水ポンプ３１の回転数、流量調整弁３２の開度を、制御部４０のメモリに記憶している。例えば、設定温度Ｔ、水ポンプ３１の回転数、流量調整弁３２の開度を変更したとき、運転を終了したとき等に、これらの情報を制御部４０に記憶する。
【００２７】
さて、このような制御部４０においては、給湯システム１０の通常起動時において、以下のようにして水ポンプ３１の回転数と流量調整弁３２の開度を決定し、決定された回転数、開度で運転を開始する。図２は、この給湯システム１０の通常起動時における処理の流れを示すものである。
【００２８】
まず、起動指令を受け取ると（ステップＳ１０１）、前回、通常運転を停止したとき又は通常起動を行ったときの水ポンプ３１の回転数Ａを制御部４０のメモリから読み出す。
また、出湯温度検出センサ３４、入水温度検出センサ３３の検出データから、出湯温度Ｔ２と入水温度Ｔ１とを比較するため、その差ΔＴ（＝Ｔ２−Ｔ１）を算出する。
ここで、制御部４０には、例えば表１に示すような、出湯温度Ｔ２と入水温度Ｔ１との差ΔＴに応じた水ポンプ３１の設定回転数Ｂの関連を示すマップ情報を予め記憶している。表１の例では、温度差ΔＴが大きくなるに従い、設定回転数Ｂが段階的に小さくなるよう設定されている。
【００２９】
【表１】
2012184884.tif 000003
【００３０】
そして、制御部４０では、そのマップ情報から、前記で算出された差ΔＴに対応する設定回転数Ｂを読み出す。
次いで、前記の、前回運転を停止したとき又は起動を行ったときに、前回運通常転中の水ポンプ３１の回転数Ａと、読み出した設定回転数Ｂとを比較する（ステップＳ１０２）。
【００３１】
その結果、前回運転を停止したとき又は起動を行ったときに、前回通常運転中の水ポンプ３１の回転数Ａと、読み出した設定回転数Ｂとの差Ａ−Ｂが、予め定めたしきい値α以下であるとき（Ａ−Ｂ≦α）には、流量調整弁３２の開度CWFV1は、制御部４０のメモリに記憶された、前回運転時の流量調整弁３２の開度CWFV1そのままとする（ステップＳ１０３）。
一方、前回運転を停止したとき又は起動を行ったときに、前回通常運転中の水ポンプ３１の回転数Ａと、読み出した設定回転数Ｂとの差Ａ−Ｂが、予め定めたしきい値αを上回ったとき（Ａ−Ｂ＞α）には、流量調整弁３２の開度CWFV1は、制御部４０のメモリに記憶された、前回運転時の流量調整弁３２の開度CWFV1に増加分βを加算したものとする（CWFV1＋β）（ステップＳ１０４）。
これは、水ポンプ３１の回転数が、水回路のつまり等によって低下しているときに、流量調整弁３２の開度を増加させ、流量を増大させることで出湯温度を一定に保とうというものである。
【００３２】
ここで、しきい値α、増加分βは、例えば、図３のＩ）〜ＩＩＩ）に示すいずれかの線で示す関係に設定することもできる。つまり、しきい値αを大きく設定するほど、増加分βを増大させる。
【００３３】
このようにして、ステップＳ１０３またはＳ１０４での決定に基づき、流量調整弁３２の開度を、CWFV1（例えば３０％）に設定する（ステップＳ１０５）。
また、水ポンプ３１の回転数を、前記の、例えば表１に示すマップ情報から読み出した設定回転数Ｂに設定する（ステップＳ１０６）。
【００３４】
そして、ステップＳ１０６、Ｓ１０５で設定した開度、回転数で給湯システム１０の運転を行いながら、予め定めた時間間隔で、出湯温度検出センサ３４で検出される出湯温度Ｔ２と、制御部４０に記憶された設定温度Ｔとを比較する（ステップＳ１０７）。
その結果、出湯温度Ｔ２が設定温度Ｔよりも低い場合（Ｔ２＜Ｔ）には、水ポンプ３１の回転数を予め定められたステップ幅で減少させる（ステップＳ１０８）。また、出湯温度Ｔ２が設定温度Ｔよりも高い場合（Ｔ２＞Ｔ）には、水ポンプ３１の回転数を予め定められたステップ幅で増加させる（ステップＳ１０９）。
【００３５】
上述した給湯システム１０によれば、制御部４０において、給湯システム１０を起動したときの水ポンプ３１の回転数Ｂと、前回運転を停止した時の水ポンプ３１の回転数Ａとを比較し、水ポンプ３１の回転数Ｂが一定以上（しきい値α）以上低下しているときには、流量調整弁３２の開度を増加させるようにした。
これにより、水回路につまり等が生じているときにも、循環する水の流量が減少するのを抑えることができる。その結果、ヒートポンプユニット１２側において、冷媒圧力を高める必要がなく、したがって、冷媒圧力が高くなりすぎたときに作動する圧縮機２１を停止させる保護処理に移行するのを回避することができる。
その結果、貯湯ユニット１３において貯湯運転が停止するのを防ぎ、貯湯効率を高め、貯湯タンク３０内の湯温が低下するのを抑えることができる。
【００３６】
［第二の実施形態］
次に、本発明にかかる給湯システム、給湯システムの起動制御方法の第二の実施形態を示す。以下に示すものは、上記第一の実施形態に対し、制御部４０における制御内容が異なるのみであり、給湯システム１０のハードウェア的な構成等は共通する。そこで、以下においては、制御部４０における制御内容のみを説明し、上記第一の実施形態と共通する構成については説明を省略するものとする。
【００３７】
図４に示すように、制御部４０においては、給湯システム１０の通常起動時において、以下のようにして水ポンプ３１の回転数と流量調整弁３２の開度を決定し、決定された回転数、開度で運転を開始する。
【００３８】
まず、起動指令を受け取ると（ステップＳ２０１）、前回運転を停止したとき又は起動を行ったときに、前回通常運転中の水ポンプ３１の回転数Ａを制御部４０のメモリから読み出す。
また、出湯温度検出センサ３４、入水温度検出センサ３３の検出データから、出湯温度Ｔ２と入水温度Ｔ１との差ΔＴ１（＝Ｔ２−Ｔ１）を算出する。
ここで、制御部４０には、例えば表２に示すような、出湯温度Ｔ２と入水温度Ｔ１との差ΔＴ１に対し、水ポンプ３１の設定回転数Ｂを一定としたマップ情報を予め記憶している。
【００３９】
【表２】
2012184884.tif 000004
【００４０】
制御部４０では、そのマップ情報から、設定回転数Ｂを読み出す。
そして、前記の、前回運転を停止したとき又は起動を行ったときに、前回通常運転中の水ポンプ３１の回転数Ａと、読み出した設定回転数Ｂとを比較する（ステップＳ２０２）。
【００４１】
また、制御部４０には、例えば表３に示すように、設定温度Ｔと入水温度Ｔ１との差ΔＴ２（＝Ｔ−Ｔ１）に応じた、流量調整弁３２の開度CWFV1を示すマップ情報を予め記憶している。
【００４２】
【表３】
2012184884.tif 000005
【００４３】
そして、制御部４０では、入水温度検出センサ３３で検出される入水温度Ｔ１と、制御部４０のメモリに記憶された設定温度Ｔとの差ΔＴ２から、流量調整弁３２の開度CWFV1の設定値Ｒを読み出す。
【００４４】
その結果、前回運転を停止したとき又は起動を行ったときに、前回通常運転中の水ポンプ３１の回転数Ａと、読み出した設定回転数Ｂとの差Ａ−Ｂが、予め定めたしきい値α以下であるとき（Ａ−Ｂ≦α）には、流量調整弁３２の開度CWFV1は、前記の流量調整弁３２の開度CWFV1の設定値Ｒそのままとする（ステップＳ２０３）。
一方、前回運転を停止したとき又は起動を行ったときに、前回通常運転中の水ポンプ３１の回転数Ａと、読み出した設定回転数Ｂとの差Ａ−Ｂが、予め定めたしきい値αを上回ったとき（Ａ−Ｂ＞α）には、流量調整弁３２の開度CWFV1は、前記の流量調整弁３２の開度CWFV1の設定値Ｒに増加分βを加算したものとする（CWFV1＋β）（ステップＳ２０４）。
これは、水ポンプ３１の回転数が、水回路のつまり等によって低下しているときに、流量調整弁３２の開度を増加させ、流量を増大させることで出湯温度を一定に保とうというものである。
【００４５】
ここでも、しきい値α、増加分βは、例えば、図３のＩ）〜ＩＩＩ）に示したような線で示す関係に設定することもできる。つまり、しきい値αを大きく設定するほど、増加分βを増大させる。
【００４６】
このようにして、ステップＳ２０３またはＳ２０４での決定に基づき、流量調整弁３２の開度を、CWFV1（例えば３０％）に設定する（ステップＳ２０５）。
また、水ポンプ３１の回転数を、前記の、例えば表２に示したマップ情報から読み出した設定回転数Ｂ（例えば２４００ｒｐｍ）に設定する（ステップＳ２０６）。
【００４７】
そして、ステップＳ２０５、Ｓ２０６で設定した開度、回転数で給湯システム１０の運転を行いながら、予め定めた時間間隔で、出湯温度検出センサ３４で検出される出湯温度Ｔ２と、制御部４０に記憶された設定温度Ｔとを比較する（ステップＳ２０７）。
その結果、出湯温度Ｔ２が設定温度Ｔよりも低い場合（Ｔ２＜Ｔ）には、水ポンプ３１の回転数を予め定められたステップ幅で減少させる（ステップＳ２０８）。また、出湯温度Ｔ２が設定温度Ｔよりも高い場合（Ｔ２＞Ｔ）には、水ポンプ３１の回転数を予め定められたステップ幅で増加させる（ステップＳ２０９）。
【００４８】
上述した給湯システム１０によれば、制御部４０において、給湯システム１０を起動したときの水ポンプ３１の回転数Ｂと、前回運転を停止したとき又は起動を行ったときに、前回通常運転中の水ポンプ３１の回転数Ａとを比較し、水ポンプ３１の回転数Ｂが一定以上（しきい値α）以上低下しているときには、流量調整弁３２の開度を増加させるようにした。
これにより、水回路につまり等が生じているときにも、循環する水の流量が減少するのを抑えることができる。その結果、ヒートポンプユニット１２側において、冷媒圧力を高める必要がなく、したがって、冷媒圧力が高くなりすぎたときに作動する圧縮機２１を停止させる保護処理に移行するのを回避することができる。これにより、貯湯ユニット１３において貯湯運転が停止するのを防ぎ、貯湯効率を高め、貯湯タンク３０内の湯温が低下するのを抑えることができる。
【００４９】
さらに、制御部４０では、入水温度Ｔ１と設定温度Ｔとの差ΔＴ２から、流量調整弁３２の開度CWFV1の設定値Ｒを設定するようにしたので、出湯温度Ｔ２と入水温度Ｔ１との差ΔＴ１が変化しても、水ポンプ３１の回転数Ｂを一定に保つことができる。
これにより水ポンプ３１の回転数Ｂを低く抑え、消費電力を抑えることができる。
【００５０】
なお、上記各実施形態では、給湯システム１０の全体構成を示したが、その構成については適宜変更、追加が可能である。
また、表１〜表３に示したマップ、図３に示したしきい値αと増加分βの相関も、あくまでも例示であり、適宜変更することができる。
これ以外にも、本発明の主旨を逸脱しない限り、適宜構成の追加、変更、組み合わせを行うことが可能である。
【符号の説明】
【００５１】
１０…給湯システム、１２…ヒートポンプユニット、１３…貯湯ユニット、２１…圧縮機、２２…エバポレータ（第一の熱交換器）、２４…ガスクーラ（第二の熱交換器）、２５…膨張弁、３０…貯湯タンク、３１…水ポンプ、３２…流量調整弁、３３…入水温度検出センサ、３４…出湯温度検出センサ、４０…制御部
【図１】
2012184884.tif 000006
【図２】
2012184884.tif 000007
【図３】
2012184884.tif 000008
【図４】
2012184884.tif 000009